(57)【要約】【課題】スタビライザバーをブッシュ（スタビライザバーブッシュ）の挿通孔に挿通させて弾性支持する弾性支持装置において、ブッシュをゴム製のブッシュ本体と樹脂ブロックとで構成した場合のブッシュ本体の成形作業性を良好とするとともに金型構造を簡単化して製造コストを安価とする。また樹脂ブロックが取付ブラケットにより安定的に保持されるようにする。【解決手段】筒形且つゴム製のブッシュ本体２４と樹脂ブロック２６とを有するブッシュ２８を取付ブラケット３０により車体側部材に取付固定するようになしたスタビライザバーの弾性支持装置１６において、樹脂ブロック２６とブッシュ本体２４とをそれぞれ別々の別体成形品として構成する。そして樹脂ブロック２６に係合凸部６２を設けてこれを取付ブラケット３０の係合凹溝４０に係合させるようにする。【選択図】        図３
2004210262.tif 000002
【特許請求の範囲】
【請求項１】
筒形且つゴム製のブッシュ本体と樹脂ブロックとを有するスタビライザバーブッシュを、該樹脂ブロックが該ブッシュ本体と車体側部材との間に位置し且つ該車体側部材に着座する状態に、外側から取付ブラケットにより該車体側部材に取付固定し、該ブッシュ本体の挿通孔に挿通させたスタビライザバーを弾性支持するようになしたスタビライザバーの弾性支持装置において、
前記樹脂ブロックとブッシュ本体とをそれぞれ別々の別体成形品として構成した上、該樹脂ブロックに前記取付ブラケット用の係合凸部を設けて該係合凸部を該取付ブラケットに設けてある係合凹部に係合させ、該樹脂ブロックを該取付ブラケットに直接、位置決状態に組み付けるようになしたことを特徴とするスタビライザバーの弾性支持装置。
【請求項２】
請求項１において、前記取付ブラケットの係合凹部が前記挿通孔の軸心と略直角方向に延びており、前記樹脂ブロックが該係合凹部と前記係合凸部との係合により該取付ブラケットに対し該挿通孔の軸心方向に固定されていることを特徴とするスタビライザバーの弾性支持装置。
【請求項３】
請求項２において、前記樹脂ブロックの前記係合凸部が前記係合凹部と同方向に延びる形態で設けてあることを特徴とするスタビライザバーの弾性支持装置。
【請求項４】
請求項３において、前記取付ブラケットが（イ）前記車体側部材に固定される一対の固定部と、（ロ）各固定部より該車体側部材から離れる向きに互いに対向状態で起立する一対の起立壁及びそれら起立壁の端部を連結する湾曲形状の連結部を備えた保持部とを有しており、該保持部における前記固定部側の開口部より、前記ブッシュ本体と樹脂ブロックとが該保持部内に且つ前記挿通孔の軸心と略直角方向に挿入されて保持されるようになしてあり、該挿入方向に延びる形態で前記係合凹部と係合凸部とが設けてあることを特徴とするスタビライザバーの弾性支持装置。
【請求項５】
請求項４において、前記ブッシュ本体の外周面に、前記取付ブラケット用の係合凸部が前記挿入方向に延びる形態で設けてあることを特徴とするスタビライザバーの弾性支持装置。
【請求項６】
請求項１〜５の何れかにおいて、前記ブッシュ本体と樹脂ブロックとの一方に掛止凸部が、他方に掛止凹部がそれぞれ設けてあって、それら掛止凸部と掛止凹部との弾性係合によりそれらブッシュ本体と樹脂ブロックとが組み付けてあることを特徴とするスタビライザバーの弾性支持装置。
【請求項７】
請求項１〜６の何れかにおいて、前記ブッシュ本体における前記樹脂ブロック側の面であって、少なくとも前記挿通孔の軸心と直角方向の一端部と他端部との間の部分を該樹脂ブロックの側に且つ該挿通孔の周縁に沿って湾曲した凸曲面となす一方、該樹脂ブロックにおける対応する面を該凸曲面に対応した凹曲面となし、それら凸曲面と凹曲面とを嵌合させるように成したことを特徴とするスタビライザバーの弾性支持装置。
【発明の詳細な説明】
【技術分野】
【０００１】
この発明は車両のスタビライザバーをスタビライザバーブッシュの挿通孔に挿通させて弾性支持するスタビライザバーの弾性支持装置に関する。
【背景技術】
【０００２】
スタビライザバーは車体の傾きを減らすために取り付けられている捩り剛ばね（トーションバー）で、その両端を左右のサスペンションに取り付け、左右の車輪が異なる動きをするときこれを抑制するように作用する。
例えばコーナを曲がるときサスペンションは遠心力によって外輪側が縮み、内輪側が伸びようとし、結果として車体が遠心力で外側に傾こうとする。
スタビライザバーはこのように左右輪が上下逆相で動くとき（ローリングするとき）捩れを発生させて、その捩れ剛性による抵抗によって左右輪の逆相の動きを抑制し、また捩れにより貯えられた弾性復元力で逆相に動いた左右輪を速やかに元に戻すように働く。
【０００３】
このようにスタビライザバーはロール角を抑える働きを有しており、これにより車両の走行安定性が高められる。
このスタビライザバーを車体側部材に取り付けるに当っては、振動絶縁部材としてのスタビライザバーブッシュを車体側部材とスタビライザバーとの間に介在させ、スタビライザバーを弾性支持するようにしている。
【０００４】
図１３はこのスタビライザバーブッシュを含む従来の弾性支持装置の一例を示している。
同図において２００は弾性支持装置２０１の主要素をなすスタビライザバーブッシュで、略全体がゴムにて構成されている。
このスタビライザバーブッシュは挿通孔２０２を有し、そこにスタビライザバー２０４を挿通させてこれを弾性支持している。
【０００５】
２０６はこのスタビライザバーブッシュ２００を車体側部材２１２に取り付けるための取付ブラケットであって、Ｕ字形状をなす保持部２０８と、一対の固定部２１０とを有しており、それら固定部２１０において車体側部材２１２に固定されるようになっている。
保持部２０８は、各固定部２１０より車体側部材２１２から離れる向きに起立する一対の起立壁２１４と、それらの各端を連結する半円形状の連結部２１５とを有しており、内側においてスタビライザバーブッシュ２００を嵌合状態に保持している。
【０００６】
尚この例の場合、スタビライザバー２０４は車体側部材２１２よりも上側に位置しており、従って起立壁２１４はそれぞれ車体側部材２１２から上向きに立ち上がっている。
スタビライザバー２０４が車体側部材２１２の下側に配置される場合には、これら起立壁２１４は車体側部材２１２から下向きに起立する形態となる。
【０００７】
スタビライザバーブッシュ２００は、取付ブラケット２０６における保持部２０８に対応して断面形状がＵ字形状をなしており、図１４に示しているようにその外周面に沿って係合突条（係合凸部）２１６がＵ字形状に設けられており、この係合突条２１６が、取付ブラケット２０６の保持部２０８の内面にＵ字形状に形成された係合凹溝２１８に係合している。
【０００８】
尚スタビライザバーブッシュ２００は、その外周面から挿通孔２０２に到る切割２２２が設けられており、その切割２２２においてスタビライザバーブッシュ２００が、スタビライザバー２０４に対し挿通孔２０２の軸心と直角方向に弾性的に嵌められるようになっている。
また断面Ｕ字形状をなすスタビライザバーブッシュ２００は、取付ブラケット２０６に対し、固定部２１０側の開口部２２０から保持部２０８内部に挿入されて保持部２０８により保持される。
【０００９】
ところで、近年スタビライザバー２０４の車体側部材２１２からの離隔距離Ｌが大きく設定されることがあり、この場合スタビライザバーブッシュ２００におけるスタビライザバー２０４と車体側部材２１２との間の部分を全体的にゴムで構成すると、その部分のゴム肉厚が厚くなり過ぎて、スタビライザバーブッシュ２００の支持剛性（ばね剛性）が過小となり、これによってスタビライザバー２０４の本来の機能が低下してしまう問題を生ずる。
【００１０】
そこでこれを防止するため、図１３に示しているようにスタビライザバー２０４と車体側部材２１２との間の部分に、詳しくは挿通孔２０２と車体側部材２１２への着座面２２８との間に、硬質且つ剛性の樹脂ブロック２２４を埋め込むといったことが行われている。
即ちスタビライザバーブッシュ２００を、ゴム製のブッシュ本体２２６と、その全体がブッシュ本体２２６内部に埋め込まれた樹脂ブロック２２４とで構成することが行われている。
この場合、樹脂ブロック２２４の図１３中上下寸法を適当に選定することによって、ブッシュ本体２２６における挿通孔２０２と着座面２２８との間のゴム肉厚を適当な厚みに保持することができる。
【００１１】
図１３に示すスタビライザバーブッシュ２００は、樹脂ブロック２２４を予め成形しておいて、これをブッシュ本体２２６の成形型のキャビティ内にセットし、その状態でゴム材料を注入してブッシュ本体２２６を加硫成形すると同時に樹脂ブロック２２４を埋込状態に一体化して製造するが、その場合成形の都度、樹脂ブロック２２４を成形型にセット作業しなければならず、同作業に多大な面倒を伴う問題がある。
【００１２】
またブッシュ本体２２６の成形に際して、樹脂ブロック２２４を所定位置に保持拘束しておく必要があることから、成形型の型構造が必然的に複雑となり、また１つの成形型当りの製品取り個数が必然的に少なくなり、このためスタビライザバーブッシュ２００の製造コストが高くなってしまう問題が生ずる。
【００１３】
下記特許文献１には、この問題を改善した弾性支持装置が開示されている。
図１５はその弾性支持装置におけるスタビライザバーブッシュの具体例を示している。
この例は、樹脂ブロック２２４に車体側部材２１２に着座する着座面２２８を設け、その着座面２２８が外部に露出する状態で、樹脂ブロック２２４と挿通孔２０２を有するブッシュ本体２２６とを一体化したものである。
【００１４】
この例の場合、樹脂ブロック２２４を成形型のキャビティ内にセットした状態で、ブッシュ本体２２６を加硫成形すると同時に樹脂ブロック２２４を一体化する点で図１３及び図１４に示すものと同様であるが、ここでは樹脂ブロック２２４をブッシュ本体２２６の内部に完全に埋め込んでおらず、樹脂ブロック２２４の一部を外部に露出させていることから、樹脂ブロック２２４に連結用凹部２３２，２３４を設け、ブッシュ本体２２６の成形時にブッシュ本体２２６の側に連結用凸部２３６，２３８を同時成形してそれらを連結用凹部２３２，２３４に埋め込むようにし、以ってそれら樹脂ブロック２２４とブッシュ本体２２６とを連結一体化するようにしている。
【００１５】
この図１５に示すスタビライザバーブッシュ２４０の場合、成形型のキャビティ内において樹脂ブロック２２４の位置決保持が比較的容易であり、この点で図１３及び図１４に示すスタビライザバーブッシュ２００に比べて改善されているものの、依然としてスタビライザバーブッシュ２４０の成形の際、具体的にはブッシュ本体２２６の成形の際、予め成形した樹脂ブロック２２４をキャビティにセット作業することが必要であり、また樹脂ブロック２２４の位置決保持のための型構造或いは成形後における製品取出しのための型分解構造が未だ複雑である問題を内在している。
【００１６】
【特許文献１】特開平８−２４４４３１号公報
【発明の開示】
【課題を解決するための手段】
【００１７】
本発明のスタビライザバーの弾性支持装置はこのような課題を解決するために案出されたものである。
而して請求項１のものは、筒形且つゴム製のブッシュ本体と樹脂ブロックとを有するスタビライザバーブッシュを、該樹脂ブロックが該ブッシュ本体と車体側部材との間に位置し且つ該車体側部材に着座する状態に、外側から取付ブラケットにより該車体側部材に取付固定し、該ブッシュ本体の挿通孔に挿通させたスタビライザバーを弾性支持するようになしたスタビライザバーの弾性支持装置において、前記樹脂ブロックとブッシュ本体とをそれぞれ別々の別体成形品として構成した上、該樹脂ブロックに前記取付ブラケット用の係合凸部を設けて該係合凸部を該取付ブラケットに設けてある係合凹部に係合させ、該樹脂ブロックを該取付ブラケットに直接、位置決状態に組み付けるようになしたことを特徴とする。
【００１８】
請求項２のものは、請求項１において、前記取付ブラケットの係合凹部が前記挿通孔の軸心と略直角方向に延びており、前記樹脂ブロックが該係合凹部と前記係合凸部との係合により該取付ブラケットに対し該挿通孔の軸心方向に固定されていることを特徴とする。
【００１９】
請求項３のものは、請求項２において、前記樹脂ブロックの前記係合凸部が前記係合凹部と同方向に延びる形態で設けてあることを特徴とする。
【００２０】
請求項４のものは、請求項３において、前記取付ブラケットが（イ）前記車体側部材に固定される一対の固定部と、（ロ）各固定部より該車体側部材から離れる向きに互いに対向状態で起立する一対の起立壁及びそれら起立壁の端部を連結する湾曲形状の連結部を備えた保持部とを有しており、該保持部における前記固定部側の開口部より、前記ブッシュ本体と樹脂ブロックとが該保持部内に且つ前記挿通孔の軸心と略直角方向に挿入されて保持されるようになしてあり、該挿入方向に延びる形態で前記係合凹部と係合凸部とが設けてあることを特徴とする。
【００２１】
請求項５のものは、請求項４において、前記ブッシュ本体の外周面に、前記取付ブラケット用の係合凸部が前記挿入方向に延びる形態で設けてあることを特徴とする。
【００２２】
請求項６のものは、請求項１〜５の何れかにおいて、前記ブッシュ本体と樹脂ブロックとの一方に掛止凸部が、他方に掛止凹部がそれぞれ設けてあって、それら掛止凸部と掛止凹部との弾性係合によりそれらブッシュ本体と樹脂ブロックとが組み付けてあることを特徴とする。
【００２３】
請求項７のものは、請求項１〜６の何れかにおいて、前記ブッシュ本体における前記樹脂ブロック側の面であって、少なくとも前記挿通孔の軸心と直角方向の一端部と他端部との間の部分を該樹脂ブロックの側に且つ該挿通孔の周縁に沿って湾曲した凸曲面となす一方、該樹脂ブロックにおける対応する面を該凸曲面に対応した凹曲面となし、それら凸曲面と凹曲面とを嵌合させるように成したことを特徴とする。
【発明の作用・効果】
【００２４】
上記のように従来にあっては、樹脂ブロックを予め成形しておいてこれをゴム製のブッシュ本体の成形型にセットし、その状態でブッシュ本体を成形すると同時に樹脂ブロックと一体化していたのに対し、本発明ではスタビライザバーブッシュを樹脂ブロックとゴム製のブッシュ本体とに分けて、それぞれを別々に成形し、それらを外側から取付ブラケットにより車体側部材に取付固定するようになしたものである。
【００２５】
従って本発明によれば、ゴム製のブッシュ本体を加硫成形するに際して、その成形型に樹脂ブロックを位置決状態にセットしておく必要はなく、従ってブッシュ本体の加硫成形に際して樹脂ブロックの面倒なセット作業を不要化でき、また成形型の型構造も単純化することができる。
加えて成形型によるブッシュ本体の成形に際しての取り個数も多くすることができ、これによりスタビライザバーブッシュの製造コストを低減することができる。
【００２６】
ところでこのように樹脂ブロックとブッシュ本体とを別々に成形して、取付ブラケットを介し車体側部材に組み付けるようにすると、車両走行中にスタビライザバーから樹脂ブロックに力が作用したとき、樹脂ブロックが取付ブラケットから外れてしまう恐れが生ずる。
【００２７】
ここにおいて本発明では樹脂ブロックに取付ブラケット用係合凸部を設け、その係合凸部を取付ブラケットに設けてある係合凹部に係合させて、かかる樹脂ブロックを取付ブラケットに直接、位置決状態に組み付けるようになしたもので、本発明によれば、樹脂ブロックとブッシュ本体とを別体成形品として構成したにも拘わらず、その樹脂ブロックが取付ブラケットにより直接に拘束保持されることから、車両走行中にスタビライザバーから樹脂ブロックに力が加わった場合にも、樹脂ブロックが取付ブラケットから外れるのを防止することができる。
【００２８】
請求項２は、取付ブラケットの係合凹部を、ブッシュ本体における挿通孔の軸心と略直角方向に延設し、そして別体となした樹脂ブロックを、その係合凸部と取付ブラケットの係合凹部との係合により取付ブラケットに対し、挿通孔の軸心方向に固定するようになしたもので、このようにすることで、樹脂ブロックが取付ブラケットから挿通孔の軸心方向に外れてしまうのを効果的に防止することができる。
【００２９】
ここで樹脂ブロックの係合凸部は、これを突起状に複数設けてその配列方向を取付ブラケットの係合凹部の延設方向となしておくこともできるが、請求項３に従って樹脂ブロックの係合凸部を係合凹部と同方向に延びる形態で設けておくことが望ましい。
このようにすることで、挿通孔の軸心方向における樹脂ブロックと取付ブラケットとの係合力をより強固となすことができる。
【００３０】
次に請求項４は、車体側部材から離れる向きに互いに対向状態で起立する一対の起立壁、及びそれらの端部を連結する湾曲形状の連結部を備えた取付ブラケットの保持部に対し、ブッシュ本体と樹脂ブロックとを、連結部とは反対側の開口部を通じて保持部に挿入するようになし、且つ上記係合凹部と係合凸部とを、その挿入方向に延びる形態で設けたもので、このようになしておけば、樹脂ブロックを取付ブラケットの保持部に挿入すると同時にそれら係合凹部と係合凸部とを互いに挿通孔の軸心方向に係合状態となすことができ、取付ブラケットと樹脂ブロックとの組付けを簡単に行うことができる。
【００３１】
請求項５は、ブッシュ本体の外周面にも係合凸部を上記挿入方向に延びる形態で設けたもので、この請求項５によれば、ブッシュ本体もまた、取付ブラケットの保持部に挿入すると同時に係合凸部と係合凹部との係合により取付ブラケットに対し挿入方向と直角方向、即ち挿通孔の軸心方向に係合状態とすることができる。
これによりブッシュ本体が取付ブラケットから同方向（挿通孔の軸心方向）に外れるのを良好に防止することができる。
【００３２】
次に請求項６は、それぞれ別体成形品として構成したブッシュ本体と樹脂ブロックとを、それぞれに設けた掛止凸部と掛止凹部とで弾性係合させるようになしたもので、このようになしておくことで、ブッシュ本体と樹脂ブロックとを取付ブラケットに挿入して保持させるに際し、予めそれらを互いに組付状態となしておくことができ、従ってブッシュ本体及び樹脂ブロックと取付ブラケットとの組付性を更に良好となすことができる。
【００３３】
ところでブッシュ本体の樹脂ブロック側の面及び対応する樹脂ブロックのブッシュ本体側の面の全体を、挿通孔の軸心と直角方向に直線状に延びる平坦面となしておくと、スタビライザバーが車体側部材に接近する方向に変位したとき、スタビライザバーを挿通させているゴム製のブッシュ本体の挿通孔の直下の部分（スタビライザバーが車体側部材の上側に配置される場合）又は挿通孔の直上の部分（スタビライザバーが車体側部材の下側に配置される場合）が、スタビライザバーと樹脂ブロックとによって強く挟まれた状態となる。
しかもこのスタビライザバーの直下又は直上の部分は、他部よりもゴム肉厚が薄いために、スタビライザバーと樹脂ブロックとの挟圧により同部分が強く圧迫されて、そこに大きな圧縮歪，応力が発生する。
その結果として同部分に亀裂が発生し易く、耐久性が低下する恐れがある。
【００３４】
ここにおいて請求項７のものは、ブッシュ本体における樹脂ブロック側の面、即ちブッシュ本体の樹脂ブロック側の下面又は上面を、少なくとも部分的に挿通孔の周縁に沿って湾曲した凸曲面となす一方、樹脂ブロック側の対応する面を、その凸曲面に対応した凹曲面となして、それら凸曲面と凹曲面とを嵌合させるようになしたもので、このようにすれば、スタビライザバーの変位に伴う歪，応力が、スタビライザバーの直下又は直上の部分に集中的に作用しないで挿通孔周りに分散され、挿通孔直下又は真上の部分に大きな局部歪，応力が発生するのを回避することができる。
【００３５】
これにより、その局部的な大きな歪，応力による亀裂発生の問題を解決でき、ブッシュ本体の耐久寿命を効果的に延長せしめることができる。
ここで凸曲面及び凹曲面は、それぞれ挿通孔の軸心を中心とした円弧面と成しておくことができる。
【発明を実施するための最良の形態】
【００３６】
次に本発明の実施形態を図面に基づいて詳しく説明する。
図１において、１０はフロントサスペンションに取り付けられるスタビライザバーで、両端側の屈曲部１２の各端が前輪のサスペンションにそれぞれ固定され、また中央部１４が一対の弾性支持装置１６により車体側部材（メンバ）１８に固定され、その中央部１４がそれら一対の弾性支持装置１６を介して弾性支持されるようになっている。
尚ここでは屈曲部１２の各端は具体的にはロッド２０，ストラット２２を介して前輪のホイールに固定される。
【００３７】
図１に示すように、この例ではスタビライザバー１０が車体側部材１８の上側に配置されている。
弾性支持装置１６は、図２及び図３に示しているようにそれぞれ別体成形品として構成されたゴム製のブッシュ本体２４と、樹脂ブロック２６とから成るスタビライザバーブッシュ２８及び金属製の取付ブラケット３０とを有している。
【００３８】
図３はそれら取付ブラケット３０，ブッシュ本体２４及び樹脂ブロック２６を分解して示している。
図３及び図８に示しているように取付ブラケット３０は、Ｕ字形状をなす保持部３２と、一対の固定部３４とを有しており、それら固定部３４において車体側部材１８にボルト締めされて固定されるようになっている。
【００３９】
保持部３２は、一対の固定部３４のそれぞれから上向きに、即ち車体側部材１８から離れる向きに起立する一対の起立壁３６と、それらの上端部を連結する半円形状の連結部３８とを有している。
またこの保持部３２は図３中左右方向、即ち保持部３２の幅方向の中央部の位置に、保持部３２の内面に沿って延びるＵ字形状の係合凹溝４０が形成されている。
【００４０】
ゴム製のブッシュ本体２４は図２，図４〜図６にも示しているように全体として筒形をなしており、略真中位置に図３中左右方向に貫通する円形の挿通孔４２が形成されていて、その挿通孔４２にスタビライザバー１０、詳しくはその中央部１４が挿通されるようになっている。
このブッシュ本体２４は図３の左右端、即ち挿通孔４２の軸心方向の各端に鍔状部４４を有していてそれらの間に嵌合溝４６が形成され、その嵌合溝４６において、取付ブラケット３０の保持部３２の内面に嵌合するようになっている（図４，図５参照）。
【００４１】
この嵌合溝４６には、図３中左右方向の中央位置即ち挿通孔４２の軸心方向の中央位置に、嵌合溝４６の溝底面から突出する係合突条４５が溝底面に沿ってＵ字形状に形成されており、この係合突条４５が、取付ブラケット３０における保持部３２の上記Ｕ字形状の係合凹溝４０に係合するようになっている。
ブッシュ本体２４は、この係合突条４５と保持部３２の係合凹溝４０との係合により、更には嵌合溝４６の保持部３２への嵌合によって、取付ブラケット３０に対し図３中左右方向即ち挿通孔４２の軸心方向に位置決状態に固定される。
【００４２】
尚、ブッシュ本体２４には外周面から挿通孔４２に到る切割４８が設けられており、この切割４８を通じてスタビライザバー１０に対し挿通孔４２の軸心と直角方向に弾性的に嵌められるようになっている。
ブッシュ本体２４は、その下面が平坦面５０とされていて、その平坦面５０に一対の鉤状をなす掛止爪（掛止凸部）５２が挿通孔４２の軸心方向に距離を隔てて互いに対向状態で設けられている。
これら掛止爪５２は、先端の爪部５４を後述する樹脂ブロック２６の掛止凹部６０に掛止させて、ブッシュ本体２４と樹脂ブロック２６とを互いに組付状態とするためのものである。
【００４３】
一方樹脂ブロック２６は、硬質樹脂（ここではポリアミド６６樹脂にガラス繊維を３０％含有させたもの）にて、ゴム製のブッシュ本体２４とは別体成形品として構成されている。
その形状は、図７にも示しているように平面，側面，正面形状ともに略四角形状をなしている。
但し図３中正面と背面とに凹所５６が形成されている。
その底面は平坦な着座面５８とされていて、この着座面５８において、車体側部材１８の上面に着座させられるようになっている。
【００４４】
この樹脂ブロック２６には、その上部且つ図３中正面と背面とにおいて掛止凹部６０が設けられており、そこに上記ブッシュ本体２４における掛止爪５２の爪部５４が掛止するようになっている。
樹脂ブロック２６は、それら掛止凹部６０と掛止爪５２との弾性的な掛止に基づいてブッシュ本体２４に組み付けられる。
【００４５】
樹脂ブロック２６には、図３において左右の側面に係合凸部６２が図３中上下方向に延びる形態で、即ちブッシュ本体２４における挿通孔４２の軸心と直角方向に延びる形態で設けられている。
樹脂ブロック２６は、その係合凸部６２を取付ブラケット３０のＵ字形状の係合凹溝４０に係合させることによって、取付ブラケット３０に組み付けられる。
詳しくはその係合凸部６２と係合凹溝４０との係合に基づいて、樹脂ブロック２６が取付ブラケット３０に対し図３中左右方向即ち挿通孔４２の軸心方向に位置決めされ固定される。
ここで係合凸部６２は、挿通孔４２の軸心方向においてブッシュ本体２４の係合突条４５と同一位置に設けられている。
【００４６】
図９は本実施形態の弾性支持装置１６の組付手順を示している。
図示のようにこの実施形態の弾性支持装置１６は、（Ｉ）に示しているようにそれぞれ別体に成形したブッシュ本体２４と樹脂ブロック２６とを、（II）に示しているように掛止爪５２と掛止凹部６０との掛止に基づいて予め組み付けておき、その状態で取付ブラケット３０における保持部３２の開口部６４から、それら組付体を図９（II）中上向きに押込挿入し、その後取付ブラケット３０を一対の固定部３４において車体側部材１８に固定することで、弾性支持装置１６の組付け及び車体側部材１８への固定を行う。
【００４７】
このように本実施形態の弾性支持装置１６は、スタビライザバーブッシュ２８を樹脂ブロック２６とゴム製のブッシュ本体２４とに分けて、それぞれを別体成形品として別々に構成し、そしてそれらを外側から取付ブラケット３０により車体側部材１８に固定するようになしたものである。
【００４８】
従って本実施形態によれば、ゴム製のブッシュ本体２４を加硫成形するに際して、その成形型に樹脂ブロック２６を位置決状態にセットしておく必要はなく、それ故ブッシュ本体２４の加硫成形に際しての樹脂ブロック２６の面倒なセット作業を不要化でき、また成形型の型構造も単純化することができる。
加えて成形型によるブッシュ本体２４の成形に際しての取り個数も多くすることができ、以ってスタビライザバーブッシュ２８の製造コストを低減することができる。
【００４９】
また本実施形態では、樹脂ブロック２６に係合凸部６２を設けてこれを取付ブラケット３０の係合凹溝４０に係合させ、かかる樹脂ブロック２６を直接取付ブラケット３０に組み付けるようになしていることから、車両走行中においてスタビライザバー１０から樹脂ブロック２６に力が加わった場合にも、樹脂ブロック２６が取付ブラケット３０から外れるのを防止することができる。
【００５０】
また本実施形態では、樹脂ブロック２６の係合凸部６２と取付ブラケット３０の係合凹溝４０とを、ブッシュ本体２４における挿通孔４２の軸心と直角方向に延設して、それらを挿通孔４２の軸心方向、つまり樹脂ブロック２６が取付ブラケット３０から外れ易いスタビライザバー１０の延びる方向に係合させていることから、樹脂ブロック２６がスタビライザバー１０からの力を受けたとしても取付ブラケット３０からその軸心方向に外れる或いは抜けるのを良好に防止することができる。
【００５１】
また樹脂ブロック２６の係合凸部６２は、取付ブラケット３０の係合凹溝４０の延設方向に一定長さで連続的に形成してあるため、係合凹溝４０に対する係合力を強固となすことができる。
【００５２】
本実施形態では、ブッシュ本体２４にも取付ブラケット３０における係合凹溝４０に対応したＵ字形状の係合突条４５が設けてあり、従ってその係合突条４５と係合凹溝４０との係合により、ブッシュ本体２４もまた取付ブラケット３０に対し図３中左右方向、即ちスタビライザバー１０の軸心方向に強固に固定状態となすことができる。
【００５３】
加えて本実施形態ではブッシュ本体２４と樹脂ブロック２６とに掛止爪５２と掛止凹部６０とが設けてあって、それらが互いに組付可能となしてあり、その組付状態で取付ブラケット３０にそれらブッシュ本体２４及び樹脂ブロック２６を組み付けられることから、更に開口部６４を通じてそれらブッシュ本体２４と樹脂ブロック２６との組付体を、保持部３２に挿入するだけで組み付けることができることから、組付けに際しての作業性も良好である。
【００５４】
図１０は本発明の他の実施形態を示している。
この実施形態は、樹脂ブロック２６の凹所５６内に柱状部６８を設けたもので、このようにしておけば、樹脂ブロック２６における支持剛性をより高めることができ、ひいては樹脂ブロック２６における上下方向即ち支持方向のへたりによる寸法変化を効果的に抑制することができる。
【００５５】
図１１は本発明の更に他の実施形態を示している。
この実施形態は、ブッシュ本体２４の下面を左右の端部、つまり挿通孔４２の軸心と直角方向の一端部と他端部とを除いてほぼ全体的に挿通孔４２の周縁に沿って樹脂ブロック２６側に湾曲する凸曲面７０となす一方、樹脂ブロック２６の対応する面をその凸曲面７０に対応した凹曲面７２となし、それら凸曲面７０と凹曲面７２とを互いに嵌合させる状態にブッシュ本体２４と樹脂ブロック２６とを組み合わせるようになした例である。
ここで凸曲面７０及び凹曲面７２は、それぞれ挿通孔４２の軸心を中心とし且つ挿通孔４２の円周と同心円の一部をなす円弧面となしてある。
【００５６】
これにより、スタビライザバー１０の変位に伴う歪，応力がスタビライザバー１０の直下の部分（図１２（Ｂ）のＣの部分）に集中的に作用しないで、挿通孔４２周り（図１２（Ａ）のＢの部分）に分散され、挿通孔４２の直下の部分に大きな局部歪，応力が発生するのを回避することができる。
【００５７】
尚図１２（Ｂ）に示すものにおいて、ブッシュ本体２４の下面を単に樹脂ブロック２６側に突出させて、その突出部分の面を凸曲面７０となしただけであると、上下方向のばね定数が低くなってしまう。
そこで図１２（Ａ）に示すもの即ち図１１の実施形態では、ブッシュ本体２４の図中左右方向の両端部の位置を図中上方に変更して、所要の上下方向のばね剛性を確保するようにしている。
即ちブッシュ本体２４の下面を下向きの凸曲面７０とすることによって、上下方向の所要のばね剛性を確保しつつ耐久性を向上させることができる。
【００５８】
以上本発明の実施形態を詳述したがこれはあくまで一例示である。
例えば本発明はスタビライザバー１０が車体側部材１８の下側に配置される場合においても適用可能なものであるし、また本発明はスタビライザバーブッシュ２８におけるブッシュ本体２４及び樹脂ブロック２６を上例以外の他の様々な形態で構成することが可能であるなど、本発明はその趣旨を逸脱しない範囲において種々変更を加えた形態で構成可能である。
【図面の簡単な説明】
【００５９】
【図１】本発明の一実施形態である弾性支持装置を周辺部材とともに示す図である。
【図２】図１における弾性支持装置を組付状態で示す図である。
【図３】同実施形態の弾性支持装置を各部材に分解して示す図である。
【図４】（Ａ）：同実施形態の弾性支持装置を組付状態で示す一部切欠正面図である。（Ｂ）：（Ａ）におけるＢ−Ｂ断面図である。（Ｃ）：（Ａ）におけるＣ−Ｃ断面図である。
【図５】同実施形態の弾性支持装置を組付状態でスタビライザバーとともに示す断面図である。
【図６】同実施形態におけるブッシュ本体単体の図である。
【図７】同実施形態における樹脂ブロック単体の図である。
【図８】同実施形態における取付ブラケット単体の図である。
【図９】同実施形態の弾性支持装置の組付手順の説明図である。
【図１０】本発明の他の実施形態の要部を示す図である。
【図１１】本発明の更に他の実施形態を示す図である。
【図１２】図１１に示す実施形態の利点を比較例との比較で示す説明図である。
【図１３】従来の弾性支持装置の一例を示す断面図である。
【図１４】図１３におけるスタビライザバーブッシュを取付ブラケットと分解して示す図である。
【図１５】従来の弾性支持装置におけるスタビライザバーブッシュの図１３及び図１４とは異なる例を示す図である。
【符号の説明】
【００６０】
１０  スタビライザバー
１６  弾性支持装置
１８  車体側部材
２４  ブッシュ本体
２６  樹脂ブロック
２８  スタビライザバーブッシュ
３０  取付ブラケット
３２  保持部
３４  固定部
３６  起立壁
３８  連結部
４０  係合凹溝
４２  挿通孔
４５  係合突条
５２  掛止爪（掛止凸部）
６０  掛止凹部
６２  係合凸部
６４  開口部
７０  凹曲面
７２  凸曲面
【図１】
2004210262.tif 000003
【図２】
2004210262.tif 000004
【図３】
2004210262.tif 000005
【図４】
2004210262.tif 000006
【図５】
2004210262.tif 000007
【図６】
2004210262.tif 000008
【図７】
2004210262.tif 000009
【図８】
2004210262.tif 000010
【図９】
2004210262.tif 000011
【図１０】
2004210262.tif 000012
【図１１】
2004210262.tif 000013
【図１２】
2004210262.tif 000014
【図１３】
2004210262.tif 000015
【図１４】
2004210262.tif 000016
【図１５】
2004210262.tif 000017